(57)【特許請求の範囲】
【請求項１】
外部メモリを装着可能な画像通信装置において、
外部メモリの装着が検出された場合、検出された外部メモリに対して、該外部メモリの使用設定を示す外部メモリ使用設定情報が書き込まれているか否かを確認する手段と、
上記外部メモリに、上記確認する手段により外部メモリ使用設定情報が書き込まれていないと確認されたとき、外部メモリ使用設定情報を受け付ける手段と、
上記受け付ける手段により外部メモリ使用設定情報を受け付けたとき、装着された外部メモリに対して、該外部メモリ使用設定情報を書き込む外部メモリ使用設定情報書込手段と、
装着された外部メモリに対して、該外部メモリに保存されている外部メモリ使用設定情報を読み出す外部メモリ使用設定情報読出手段と、
上記外部メモリ使用設定情報読出手段によって読み出した外部メモリ使用設定情報に基づいて、装着されている外部メモリに、画像データを保存するか否かを判断する手段とを備えていることを特徴とする画像通信装置。
【請求項２】
上記外部メモリ使用設定情報は、
装着された外部メモリに対して、該外部メモリの使用用途を示す用途設定情報を含むことを特徴とする請求項１に記載の画像通信装置。
【請求項３】
上記画像通信装置は、複数の外部メモリを装着可能であり、
上記外部メモリ使用設定情報は、
装着された外部メモリに対して、該外部メモリの優先順位を示す優先順位設定情報を含むことを特徴とする請求項１に記載の画像通信装置。
【請求項４】
上記画像通信装置は、複数の外部メモリを装着可能であり、
上記外部メモリ使用設定情報読出手段によって読み出した用途設定情報、および優先順位設定情報に基づいて、装着されている外部メモリの中から、画像データの保存に使用する外部メモリを選択する選択手段を備えていることを特徴とする請求項１に記載の画像通信装置。
【発明の詳細な説明】
【技術分野】
【０００１】
本発明は、外部メモリを装着可能な画像通信装置に関するものである。
【背景技術】
【０００２】
ファクシミリ装置を含む画像通信装置では、受信した画像を直ちに記憶紙に出力したり、画像通信装置の中のメモリに一度保存を行なった後、記憶紙に出力している。また、近年では画像通信装置は、受信した画像を記憶紙への出力とは別に、画像通信装置に内蔵するメモリ、若しくは画像通信装置に接続した外部メモリへ記憶する装置が実用化されている。
【０００３】
また、ファクシミリの送受信機能に加えてスキャナ機能、印刷機能を備えた複合機では、受信した画像をメモリに保存できる装置が一般的であるが、複合機に内蔵するメモリでは容量に限りがあり、保存の利便性も少ないため、外部メモリを併設することが多い。また、近年ではＰＣ（Personal computer）の他に、携帯電話や、ＰＤＡ（personal digital assistant）、デジタルカメラを用いてＪＰＥＧ画像やＰＤＦデータなどを保存・参照したり、送信画像として持ち運ぶ事が可能となっている。このため、複合機のスキャナで読み取った画像や書類を携帯電話等へ取り出したり、携帯電話等で撮影された画像を印刷するなどの用途が普及してきたため、複合機に外部メモリが複数装着されるケースが近年増加してきている。
【０００４】
従来、画像通信装置に外部メモリを装着可能とする機種において、外部メモリが装着されているか否かを判断して、受信画像の保存先を変える技術については特許文献１に記載されている。また、画像通信装置自体の設定を外部メモリに保存することを可能とする技術については特許文献２に記載されている。
【特許文献１】特開平１０−３４１３１２号公報（１９９８年１２月２２日公開）
【特許文献２】特開２０００−３５４１２１号公報（２０００年１２月１９日公開）
【発明の開示】
【発明が解決しようとする課題】
【０００５】
しかしながら、従来の画像通信装置では、ユーザが複数の外部メモリを所有する場合、外部メモリを装着するごとに、ユーザによりその都度、動作の指定をしなければならなかった。また、複合機に対して複数の外部メモリを装着する場合、複合機は各外部メモリに対して、各複合機によってあらかじめ定められた優先度、例えば最初に挿したもの、あるいは、カード種類によって予め決まっている優先度に従って、各外部メモリの優先度を設定するようになっている。このため、複数の種類の外部メモリが装着されている場合において、用途ごとに（外部メモリに保存される画像データの種類ごとに）ユーザの望む外部メモリにデータを保存することができなかった。あるいは、画像データの保存要求が発生するたびに、複合機に設定されている保存用外部メモリの優先度を設定しなおさなければならなかった。
【０００６】
本発明は、上記の問題点に鑑みてなされたものであり、その目的は、複数の外部メモリを装着可能な画像通信装置において、用途ごとにユーザの望む外部メモリに画像データを保存させることができる画像通信装置を実現することにある。
【課題を解決するための手段】
【０００７】
本発明に係る画像通信装置は、上記課題を解決するために、外部メモリを装着可能な画像通信装置において、装着された外部メモリに対して、該外部メモリに保存されている外部メモリ使用設定情報を読み出す外部メモリ使用設定情報読出手段と、上記外部メモリ使用設定情報読出手段によって読み出した外部メモリ使用設定情報に基づいて、装着されている外部メモリに、画像データを保存するか否かを判断する手段を備えていることを特徴としている。
【０００８】
上記の構成によれば、上記画像通信装置は、上記外部メモリ使用設定情報読出手段によって上記外部メモリの使用設定を該外部メモリ自体から読み出し、読み出した外部メモリ使用設定情報に基づいて上記選択手段により画像データの保存に外部メモリを使用するか否かを判断する。これにより、上記外部メモリに指定した使用設定に従った画像データの記憶、読み出しを設定することができるという効果を奏する。
【０００９】
また、上記画像通信装置は、装着された外部メモリに対して、該外部メモリの使用設定を示す外部メモリ使用設定情報を書き込む外部メモリ使用設定情報書込手段を備える構成とすることができる。
【００１０】
上記の構成によれば、上記画像通信装置は、上記外部メモリ使用設定情報書込手段により、装着された上記外部メモリに対して、その使用設定を該外部メモリ自体に保存することができる。
【００１１】
また、上記外部メモリ使用設定情報は、装着された外部メモリに対して、該外部メモリの使用用途を示す用途設定情報を含む構成としてもよい。
【００１２】
さらに、上記画像通信装置は、複数の外部メモリを装着可能であり、上記外部メモリ使用設定情報は、装着された外部メモリに対して、該外部メモリの優先順位を示す優先順位設定情報を含む構成としてもよい。
【００１３】
上記の構成によれば、上記外部メモリの使用設定情報に使用用途情報が含まれるので、該外部メモリを使用用途によって設定することができる。また、上記外部メモリの使用設定情報に優先順位設定情報が含まれるので、該外部メモリを優先順位によって設定することができる。
【００１４】
また、上記画像通信装置は、複数の外部メモリを装着可能であり、上記選択手段は、上記外部メモリ使用設定情報読出手段によって読み出した用途設定情報、および優先順位設定情報に基づいて、装着されている外部メモリの中から、画像データの保存に使用する外部メモリを選択する構成とすることができる。
【００１５】
上記の構成によれば、上記外部メモリが同じ使用用途で複数存在する場合において、それぞれの外部メモリの使用における優先順位を設定することができるという効果を奏する。
【発明の効果】
【００１６】
本発明に係る画像通信装置は、以上のように、外部メモリを装着可能な画像通信装置において、装着された外部メモリに対して、該外部メモリに保存されている外部メモリ使用設定情報を読み出す外部メモリ使用設定情報読出手段と、上記外部メモリ使用設定情報読出手段によって読み出した外部メモリ使用設定情報に基づいて、装着されている外部メモリに、画像データを保存するか否かを判断する手段を備えている。
【００１７】
また、本発明に係る画像通信装置は、以上のように、装着された外部メモリに対して、該外部メモリの使用設定を示す外部メモリ使用設定情報を書き込む外部メモリ使用設定情報書込手段を備えている構成としてもよい。
【００１８】
また、本発明に係る画像通信装置は、以上のように、上記外部メモリ使用設定情報が、装着された外部メモリに対して、該外部メモリの使用用途を示す用途設定情報を含み、または、上記画像通信装置は、複数の外部メモリを装着可能であり、上記外部メモリ使用設定情報が、装着された外部メモリに対して、該外部メモリの優先順位を示す優先順位設定情報を含む構成としてもよい。
【００１９】
さらに、本発明に係る画像通信装置は、以上のように、上記画像通信装置は、複数の外部メモリを装着可能であり、上記選択手段は、上記外部メモリ使用設定情報読出手段によって読み出した用途設定情報、および優先順位設定情報に基づいて、装着されている外部メモリの中から、画像データの保存に使用する外部メモリを選択する構成としてもよい。
【００２０】
それゆえ、上記画像通信装置は、装着された上記外部メモリに対して、その使用設定を該外部メモリ自体に保存することができ、また、保存された外部メモリ使用設定に基づいて画像データの種類に応じて使用する外部メモリを選択できる。これにより、上記外部メモリに指定した使用設定に従った画像データの記憶、読み出しを設定することができるという効果を奏する。
【発明を実施するための最良の形態】
【００２１】
〔実施の形態１〕
本発明の一実施形態について図１ないし図４に基づいて説明すると以下の通りである。尚、本実施形態においては、画像通信装置として、ファクシミリ機能を備えた複合機を例示している。
【００２２】
図１は、本実施形態における画像通信装置を示すブロック図である。上記ファクシミリ装置は、図１で示されるように、制御部１と、通信回線制御部２と、表示部３と、記憶部４と、呼び出し音出力部５と、モデム６と、ハンドセット７と、ダイヤルボタン群８と、操作ボタン群９と、ハンドセット上下検出部１０と、外部メモリコントローラ１１と、スキャナ１２と、印刷部１３と、を備える。
【００２３】
制御部１は、ファクシミリ装置の動作を制御する手段であり、ファクシミリ装置が電話機、ファクシミリとして動作するように各部を制御する。
【００２４】
通信回線制御部２は、通信回線網に対しての送受信処理を行なう。通信回線制御部２は、例えば、着信信号の検出、着信データがファクシミリか音声通話かの判断、ダイヤル信号の送信、ファクシミリ若しくは音声通話データの送受信を行なう。
【００２５】
表示部３は、ファクシミリ装置の状態や着発信者の電話番号等を表示する手段であり、着信したファクシミリのデータを表示したり、スキャナで取り込んだ画像を表示したりしても良い。
【００２６】
記憶部４は、ファクシミリ装置に内蔵された記憶装置であり、発信者電話番号や電話帳データ等を記憶する。また、外部メモリコントローラ１１に外部メモリが装着されていない場合のデータを保存すると共に、受信データ等、ファクシミリ装置で生じたデータを一時的に記憶する装置として用いても良い。
【００２７】
呼び出し音出力部５は、着信時の呼び出し音等を出力するスピーカである。モデム６は、ファクシミリデータを送受信したり、送受信時のダイヤルトーンの検出を行なう。ハンドセット７は、送話、受話に用いられる。ダイヤルボタン群８は、送話、ファクシミリ送信の際にダイヤルを指定するために用いられる。また制御部１の操作を行なうためのテンキーとして用いられても良い。操作ボタン群９は、ファクシミリの送信、受信を制御するボタンと、スキャナや外部メモリコントローラ１１の制御などに用いられるボタン群である。ハンドセット上下検出部１０は、ハンドセットの上下を検出する装置であり、音声通話の開始と終了とを検出する。
【００２８】
外部メモリコントローラ１１は、ファクシミリ装置に装着される外部メモリ（ＳＤカード、ＣＦカード、ＵＳＢメモリなど）に対して、データの書込みおよび読出しを行う手段である。外部メモリコントローラ１１には、複数の外部メモリを抜き差し可能である。
【００２９】
スキャナ１２は、画像を読み込む装置であり、ファクシミリの送信原稿を読み込んだり、後述する印刷部１３と組み合わせて画像コピー機として動作しても良い。
【００３０】
印刷部１３は、画像データの印刷を行なう手段である。印刷部１３は、受信したファクシミリデータの印刷、画像コピー時におけるスキャナ１２から取り込んだデータの印刷、パソコンからの受信画像データや外部メモリに記憶されている画像データの印刷等を行なうことができる。
【００３１】
本実施の形態に係るファクシミリ装置は、外部メモリコントローラ１１に装着される外部メモリに対して外部メモリ使用設定情報を格納しておき、該外部メモリ使用設定情報に基づいて外部メモリへの画像データ保存を制御する点に特徴を有する。ここで、外部メモリ使用設定情報とは、その外部メモリの使用設定を保存している情報である。上記外部メモリ使用設定情報は、外部メモリにおいてファイル若しくはフォルダとして保存されている。
【００３２】
本実施の形態１では。上記外部メモリ使用設定情報として用途設定情報を使用し、外部メモリに保存すべきデータの種類を書き込むことによって、画像データの種類ごとにユーザの望む外部メモリに画像データを保存させる場合を例示する。まずは、外部メモリに保存すべきデータの種類を設定する場合の動作を、図２のフローチャートを参照して説明する。
【００３３】
まず、外部メモリコントローラ１１に外部メモリが装着された場合、制御部１によって外部メモリの装着が検出される（Ｓ１）。外部メモリの装着が検出された場合、制御部１は、検出された外部メモリにおいて用途設定情報が書き込まれているか否かを確認する（Ｓ２）。
【００３４】
ここで、用途設定情報とは、その外部メモリに対して保存される画像データの種類を示す情報である。以下の説明では、ファクシミリ受信した画像データの保存用に用いられる外部メモリには、用途設定情報としてファクシミリ受信用情報が書き込まれるものとする。また、スキャン画像データの保存用に用いられる外部メモリには、用途設定情報として画像スキャン用情報が書き込まれるものとする。上記用途設定情報は、外部メモリにおいてファイル若しくはフォルダとして保存されている。
【００３５】
装着が検出された外部メモリに用途設定情報が記憶されていない場合、制御部１は、外部メモリコントローラ１１を介して該外部メモリに用途設定情報を入力する（Ｓ３）。この時の用途設定情報の入力手順としては、表示部３を用いて該外部メモリの使用用途をユーザに問い合わせ、ユーザにより入力された使用用途によって用途設定情報を外部メモリに書き込むことが考えられる。
【００３６】
ユーザによって外部メモリの使用用途が入力されると、制御部１は、その使用用途によって用途設定情報を作成し、外部メモリコントローラ１１を介して外部メモリに書き込む。これにより、受信ファクシミリ用に使用用途が設定された外部メモリには、ファクシミリ受信用情報が保存される（Ｓ４）。また、画像スキャン用に使用用途が設定された外部メモリには、画像スキャン用情報が保存される（Ｓ５）。
【００３７】
次に、本実施の形態に係るファクシミリ装置において、外部メモリに画像データを記憶させる時の処理動作について図３および図４を参照して説明する。
【００３８】
図３は、ファクシミリ装置が、ファクス受信した画像データを外部メモリに保存するための動作を示すフローチャートである。
【００３９】
ファクシミリを受信すると、制御部１は、外部メモリコントローラ１１に装着されている外部メモリを検索し、装着されている外部メモリがあれば、その中に保存されている用途設定情報を検出する（Ｓ１１）。
【００４０】
用途設定情報が検出された場合、制御部１は、該用途設定情報に基づき、外部メモリが受信ファクシミリ用であるか否かを確認する（Ｓ１２）。すなわち、制御部１は、検出された用途設定情報がファクシミリ受信用情報であるか否かを確認する。
【００４１】
上記Ｓ１２の確認において、ファクシミリ受信用の外部メモリが検出された場合は、ファクス受信した画像データを上記外部メモリに保存する（Ｓ１３）。
【００４２】
また、上記Ｓ１２の確認において、ファクシミリ受信用の外部メモリが検出されなかった場合、すなわち、外部メモリが装着されていない、若しくは装着されていた外部メモリがファクシミリ受信用でなかった場合、ファクス受信した画像データは記憶部４に保存される（Ｓ１４）。
【００４３】
図４は、ファクシミリ装置が、画像スキャンによって得られた画像データを外部メモリに保存するための動作を示すフローチャートである。
【００４４】
ファクシミリ装置のスキャナ１２によって画像スキャンが実行されると、制御部１は、外部メモリコントローラ１１に装着されている外部メモリを検索し、装着されている外部メモリがあれば、その中に保存されている用途設定情報を検出する（Ｓ２１）。
【００４５】
用途設定情報が検出された場合、制御部１は、該用途設定情報に基づき、外部メモリが画像スキャン用であるか否かを確認する（Ｓ２２）。すなわち、制御部１は、検出された用途設定情報が画像スキャン用情報であるか否かを確認する。
【００４６】
上記Ｓ２２の確認において、画像スキャン用の外部メモリが検出された場合は、画像スキャンされた画像データを上記外部メモリに保存する（Ｓ２３）。
【００４７】
また、上記Ｓ２２の確認において、画像スキャン用の外部メモリが検出されなかった場合、すなわち、外部メモリが装着されていない、若しくは装着されていた外部メモリが画像スキャン用でなかった場合、制御部１は表示部３を用いて画像データを保存する外部メモリをユーザに問い合わせる（Ｓ２４）。画像スキャンされた画像データはＳ２４で指定された外部メモリに保存される（Ｓ２５）。
【００４８】
尚、図３で説明した動作において、ファクシミリ受信用の外部メモリが検出されなかった場合には、ファクス受信した画像データは記憶部４に保存されるとしている。しかしながら、本発明はこれに限定されるものではなく、記憶部４への画像データの保存を行う前に、表示部３においてファクシミリ受信用の外部メモリの装着をユーザに促す表示を行ってもよい。同様に、図４で説明した動作において、画像スキャン用の外部メモリが検出されなかった場合に、表示部３において画像スキャン用の外部メモリの装着をユーザに促すと共に、記憶部４へのスキャン画像データの保存を行う選択肢を提示してもよい。
【００４９】
また、図３および図４の動作では、ファクス受信または画像スキャンの動作が発生するたびに、外部メモリの装着確認処理、外部メモリに保存されている外部メモリ使用設定、および用途設定情報の確認処理が行われている。しかしながら、本発明はこれに限定されるものではない。例えば、外部メモリがファクシミリ装置に装着された時点で、該外部メモリに保存されている外部メモリ使用設定情報を読み出して記憶部４に格納しておくことが考えられる。すなわち、この場合のファクシミリ装置は、装着されている外部メモリ、および外部メモリの用途をファクシミリ装置内で管理することができ、ファクス受信または画像スキャンの動作が発生するたびに外部メモリの装着確認処理、および用途設定情報の確認処理を行う必要が無くなる。
【００５０】
〔実施の形態２〕
つぎに、本実施の形態２に係るファクシミリ装置は、外部メモリ使用設定情報として優先順位設定情報を使用し、外部メモリコントローラ１１に装着される外部メモリを使用する優先順位設定情報を書き込むことによって、ユーザの望む使用優先順位に従って外部メモリに画像データを保存させる点に特徴を有する。本実施の形態におけるファクシミリ装置は図１に示した構成を用いる。まずは、外部メモリに保存すべきデータの種類を設定する場合の動作を、図５のフローチャートを参照して説明する。
【００５１】
まず、外部メモリコントローラ１１に外部メモリが装着された場合、制御部１によって外部メモリの装着が検出される（Ｓ３１）。外部メモリの装着が検出された場合、制御部１は、検出された外部メモリにおいて優先順位設定情報が書き込まれているか否かを確認する（Ｓ３２）。
【００５２】
ここで、優先順位設定情報とは、ファクシミリ装置に装着された外部メモリを使用する優先順位を示す情報である。
【００５３】
外部メモリ使用設定情報に優先順位設定情報が記憶されていない場合、制御部１は、外部メモリコントローラ１１を介して該外部メモリに優先順位設定情報を入力する（Ｓ３３）。この時の優先順位設定情報の入力手順としては、表示部３を用いて該外部メモリの優先順位をユーザに問い合わせ、ユーザにより入力された優先順位によって優先順位設定情報を外部メモリに書き込むことが考えられる。これにより、該外部メモリには、ファクシミリ装置で使用される優先順位が保存される。
【００５４】
次に、本実施の形態に係るファクシミリ装置において、外部メモリに画像データを記憶させる時の処理動作について図６を参照して説明する。尚説明ではファクス受信時の動作について説明するが、画像スキャンなどの場合においても同様の動作を行うことができるので省略する。
【００５５】
図６は、ファクシミリ装置が、ファクス受信した画像データを外部メモリに保存するための動作を示すフローチャートである。
【００５６】
ファクシミリを受信すると、制御部１は、外部メモリコントローラ１１に装着されている外部メモリを検索し、装着されている外部メモリがあれば、その中に保存されている優先順位設定情報を検出する（Ｓ４１）。
【００５７】
優先順位設定情報が検出された場合、制御部１は、該優先順位設定情報に基づき、該外部メモリに設定されている優先順位を確認する（Ｓ４２）。
【００５８】
上記Ｓ４２の確認において、検出された外部メモリの中で、最も優先順位の高い外部メモリにファクス受信した画像データを保存する（Ｓ４３）。
【００５９】
また、上記Ｓ４２の確認において、優先順位設定情報が設定された外部メモリが検出されなかった場合、すなわち、外部メモリが装着されていない、若しくは優先順位設定情報が未設定であった場合、ファクス受信した画像データは記憶部４に保存される（Ｓ４４）。
【００６０】
尚、図６で説明した動作において、優先順位設定情報が設定された外部メモリが検出されなかった場合には、ファクス受信した画像データは記憶部４に保存されるとしている。しかしながら、本発明はこれに限定されるものではなく、記憶部４への画像データの保存を行う前に、表示部３において外部メモリの装着をユーザに促す表示を行ってもよい。
【００６１】
また、実施の形態１においては、ファクス受信用または画像スキャン用の外部メモリのそれぞれを一つの場合を想定している。そして実施の形態２においては、外部メモリ使用設定情報に優先順位設定情報のみが保存されている場合を想定している。すなわち、上記実施形態１および２においては、外部メモリ使用設定情報として１種類の情報を外部メモリに格納している。しかしながら、本発明はこれに限定されるものではなく、外部メモリ使用設定情報として２種類以上の情報を外部メモリに格納してもよい。
【００６２】
例えば、本発明のファクシミリ装置においては、ファクス受信用または画像スキャン用のそれぞれに複数の外部メモリを装着することも可能である。このような場合、これらの複数の外部メモリに対して用途設定情報とともに優先順位設定情報を設定しておき、設定された用途設定と優先順位とに基づいて外部メモリへのデータ保存を行うことも可能である。
【００６３】
本実施形態では外部メモリ使用設定情報について、一例として用途設定情報と優先順位設定に基づいて説明を行ったが、上記外部メモリ使用設定情報はこれら２種類の設定情報に限られない。例えばユーザ毎に使用する外部メモリを設定することも可能であるし、時間帯毎に設定するなど、画像通信装置の用途にあわせて上記外部メモリ使用設定情報中の設定を設定することができる。
【００６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６５】
最後に、画像通信装置の各ブロック、特に制御部１は、ハードウェアロジックによって構成してもよいし、次のようにＣＰＵを用いてソフトウェアによって実現してもよい。
【００６６】
すなわち、画像通信装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記憶媒体）などを備えている。そして、本発明の目的は、上述した機能を実現するソフトウェアである画像通信装置の制御プログラムのプログラムコード（実行形式プログラム、中間コードプログラム、ソースプログラム）をコンピュータで読み取り可能に記憶した記憶媒体を、上記画像通信装置に供給し、そのコンピュータ（またはＣＰＵやＭＰＵ）が記憶媒体に記憶されているプログラムコードを読み出し実行することによっても、達成可能である。
【００６７】
上記記憶媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００６８】
また、画像通信装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００６９】
本発明は、複数の外部メモリを装着可能な画像通信装置において、外部メモリへの画像データの保存・管理を容易に行え、画像通信装置やファクシミリ機能を備えた複合機に適用できる。
【図面の簡単な説明】
【００７０】
【図１】本実施形態における画像通信装置の概略構成を示すブロック図である。
【図２】上記画像通信装置において、外部メモリに保存すべきデータの種類を設定する場合の動作を示すフローチャートである。
【図３】上記画像通信装置において外部メモリに画像データを記憶させる時の処理動作を示すフローチャートである。
【図４】上記画像通信装置において外部メモリに画像データを記憶させる時の処理動作を示すフローチャートである。
【図５】上記画像通信装置において、外部メモリを使用する優先順位を設定する場合の動作を示すフローチャートである。
【図６】上記画像通信装置において外部メモリに画像データを記憶させる時の処理動作を示すフローチャートである。
【符号の説明】
【００７１】
１  制御部（用途設定情報書込手段、用途設定情報読出手段、選択手段、優先順位設定手段）
２  通信回線制御部
３  表示部
４  記憶部
５  呼び出し音出力部
６  モデム
７  ハンドセット
８  ダイヤルボタン群
９  操作ボタン群
１０  ハンドセット上下検出部
１１  外部メモリコントローラ（用途設定情報書込手段、用途設定情報読出手段、選択手段、優先順位設定手段）
１２  スキャナ
１３  印刷部
【図１】
0004647541.tif 000002
【図２】
0004647541.tif 000003
【図３】
0004647541.tif 000004
【図４】
0004647541.tif 000005
【図５】
0004647541.tif 000006
【図６】
0004647541.tif 000007